(57)【要約】【課題】両面粘着テープによる貼り付け工程を不要とし、ケーブル端部の半田剥がれや、噛み込みによるケーブルの破損を防止できるフレキシブルフラットケーブルの配設構造を提供する。【解決手段】配線基板１の表面にフレキシブルフラットケーブル５の一端部５ａを半田付けし、配線基板のスリット１ａに該ケーブル５を通して配線基板１の裏側へ引き回し、配線基板のもう一つのスリットから該ケーブルを配線基板の表側へ引き出すか、又は、配線基板１の端面に沿って該ケーブル５を配線基板の表側へ引き出した配設構造とする。該ケーブル５が折れ曲がってスリット１ａの縁や配線基板１の端に引っ掛かり、実質的に固定されるので、ケーブル一端部５ａに力が殆ど作用しなくなり、半田剥がれを防止できる。ケーブルガイドリブ４を設けると、該ケーブル５がカバー３ａに噛み込まれなくなって損傷が防止される。【選択図】図２
2009141241.tif 000002
【特許請求の範囲】
【請求項１】
配線基板の表面にフレキシブルフラットケーブルの一端部を半田付けし、配線基板に形成されたスリットにフレキシブルフラットケーブルを通して配線基板の裏側へ引き回し、配線基板に形成されたもう一つのスリットからフレキシブルフラットケーブルを配線基板の表側へ引き出すか、又は、配線基板の端面に沿ってフレキシブルフラットケーブルを配線基板の表側へ引き出したことを特徴とする、フレキシブルフラットケーブルの配設構造。
【請求項２】
上記配線基板が電子機器のフロントパネルの裏面に取り付けられる操作用配線基板であって、フロントパネルに嵌合されるカバーによってフレキシブルフラットケーブルが噛み込まれないようにガイドするケーブルガイドリブを、配線基板の端面のケーブル引き出し部位に沿うようにフロントパネルの裏面から突設し、このケーブルガイドリブと配線基板の端面との隙間からフレキシブルフラットケーブルを配線基板の表側へ引き出したことを特徴とする請求項１に記載のフレキシブルフラットケーブルの配設構造。
【請求項３】
上記ケーブルガイドリブによってフレキシブルフラットケーブルを配線基板の端面に押し付けたことを特徴とする請求項２に記載のフレキシブルフラットケーブルの配設構造。
【請求項４】
上記配線基板の端面のケーブル引き出し部位に凹部を形成し、この凹部とケーブルガイドリブとの間のスリット状空隙部からフレキシブルフラットケーブルを配線基板の表側へ引き出したことを特徴とする請求項２又は請求項３に記載のフレキシブルフラットケーブルの配設構造。
【請求項５】
上記フロントパネルに嵌合されるカバーをガイドするカバーガイドリブを、配線基板の端面のケーブル引き出し部位に沿うようにフロントパネルの裏面から突設し、このカバーガイドリブを上記ケーブルガイドリブとして兼用したことを特徴とする請求項２ないし請求項４のいずれかに記載のフレキシブルフラットケーブルの配設構造。
【発明の詳細な説明】
【技術分野】
【０００１】
本発明はフレキシブルフラットケーブルの配設構造に関し、特に、ケーブル端部の半田剥がれやケーブルの破損を防止できる配設構造に関する。
【背景技術】
【０００２】
電子機器の操作用配線基板は、通常、電子機器のフロントパネルの裏面に取り付けられており、フレキシブルフラットケーブルによってメイン基板に接続されている。このフレキシブルフラットケーブルの操作用配線基板側の端部は、ほとんどの場合、操作用配線基板の表面に半田付けされており、このケーブル端部の半田剥がれを防止するために、フレキシブルフラットケーブルの端部近傍箇所を両面粘着テープ等で操作用配線基板の表面に固定して、半田付けされたケーブル端部に引張力や曲げ応力が作用しないようにしている。
【０００３】
ところで、可撓性配線基板（フレキシブルフラットケーブル）の配設構造として、帯状をなす可撓性配線基板と、この可撓性配線基板の一端部を固定する第１固定部を有する基部と、この基部に対し移動可能に設置され可撓性配線基板の他端部を固定する第２固定部を有する移動体とを備え、可撓性配線基板は、その表裏がほぼ反転するように湾曲した第１湾曲部と、この第１湾曲部と反対方向に湾曲した第２湾曲部と、この第２湾曲部と前記第１湾曲部との間に位置する中間部とを有し、この中間部の一部を支持部により固定的に支持すると共に、その近傍を第１の押圧部及び第２の押圧部で押圧することで、中間部が側面視で山状に突出変形するように形状を規制したものが知られている（特許文献１）。
【０００４】
また、ディスク装置を内蔵した電子装置において、ピックアップ部の移動距離を吸収するための弛み部をフレキシブルフラットケーブルに設けると共に、この弛み部に、それぞれの湾曲方向が逆の方向に曲げられた２つの折曲げ部を設け、一方の折曲げ部においてＬ字状の係止具で係止することで、接続端部にピックアップ部の摺動による影響（接続端部付近でＦＦＣが動くことによる負荷）が及ばないようにしたフレキシブルフラットケーブルの配設構造も知られている（特許文献２）。
【０００５】
更に、ピックアップ本体と回路基板とを、中間部を自由状態で湾曲させたフレキシブル配線板により電気的に接続し、ピックアップ本体に設けた押さえ片でフレキシブル配線板の湾曲部分のディスク方向への膨らみを抑制したものも知られている（特許文献３）。
【特許文献１】特開２００３−３０９３８１号公報
【特許文献２】特開２００６−３１９１０号公報
【特許文献３】特開平６−２４３６０１号公報
【発明の開示】
【発明が解決しようとする課題】
【０００６】
しかしながら、従来のように、フレキシブルフラットケーブルの半田付けされた端部の近傍箇所を両面粘着テープで操作用配線基板の表面に貼り付けてケーブル端部の半田剥がれを防止する場合は、貼り付けの工程や部品代（両面粘着テープ代）が増加するためコスト高となり、しかも、振動試験や落下試験を行うと、両面粘着テープが剥がれてフレキシブルフラットケーブルの半田付けされた端部に力がかかり、ケーブル端部の半田剥がれを生じる恐れがあった。
【０００７】
また、操作用配線基板を取り付けたフロントパネルには、上下のカバーが嵌合されて電子機器の筐体が組み立てられるが、このカバーが嵌合されるときに、フレキシブルフラットケーブルがカバーに噛み込まれて破損する恐れもあった。
【０００８】
これに対し、前記特許文献１のフレキシブルフラットケーブルの配設構造は、移動体を円滑に移動させることはできるが、ケーブルの接続端部の近傍箇所を固定してケーブルの接続端部に曲げ応力等が作用しないようにしたものではないため、ケーブルの接続端部を半田付けした場合には、従来と同様に半田剥がれを生じる恐れがあった。そして、前記特許文献２，３の配設構造も、フレキシブルフラットケーブルの接続端部の近傍箇所を固定するものではないので、ケーブルの接続端部を半田付けした場合には、同様に半田剥がれを生じる恐れがあった。
【０００９】
また、前記特許文献１，２，３はいずれも、フロントパネルとカバーの嵌合時の噛み込みによるフレキシブルフラットケーブルの損傷を防止する手段を備えたものではないため、これらの特許文献の技術を適用しても、従来の噛み込みによるフレキシブルフラットケーブルの損傷を防止することはできない。
【００１０】
本発明は上記事情の下になされたもので、その解決しようとする課題は、両面粘着テープによる貼り付け工程を不要とし、しかも、ケーブル端部の半田剥がれや、噛み込みによるケーブルの破損を防止できるフレキシブルフラットケーブルの配設構造を提供することにある。
【課題を解決するための手段】
【００１１】
上記課題を解決するため、本発明に係るフレキシブルフラットケーブルの配設構造は、配線基板の表面にフレキシブルフラットケーブルの一端部を半田付けし、配線基板に形成されたスリットにフレキシブルフラットケーブルを通して配線基板の裏側へ引き回し、配線基板に形成されたもう一つのスリットからフレキシブルフラットケーブルを配線基板の表側へ引き出すか、又は、配線基板の端面に沿ってフレキシブルフラットケーブルを配線基板の表側へ引き出したことを特徴とするものである。
【００１２】
本発明の好ましい具体例は、上記配線基板が電子機器のフロントパネルの裏面に取り付けられる操作用配線基板であって、フロントパネルに嵌合されるカバーによってフレキシブルフラットケーブルが噛み込まれないようにガイドするケーブルガイドリブが、配線基板の端面のケーブル引き出し部位に沿うようにフロントパネルの裏面から突設され、このケーブルガイドリブと配線基板の端面との隙間からフレキシブルフラットケーブルが配線基板の表側へ引き出されたものである。
【００１３】
上記のようなフレキシブルフラットケーブルの配設構造においては、ケーブルガイドリブによってフレキシブルフラットケーブルが配線基板の端面に押し付けられていることが好ましい。そして、配線基板の端面のケーブル引き出し部位に凹部が形成され、この凹部とケーブルガイドリブとの間のスリット状空隙部からフレキシブルフラットケーブルが配線基板の表側へ引き出されていることが好ましい。更に、フロントパネルに嵌合されるカバーをガイドするカバーガイドリブが、配線基板の端面のケーブル引き出し部位に沿うようにフロントパネルの裏面から突設され、このカバーガイドリブが上記ケーブルガイドリブとして兼用されていることが好ましい。
【発明の効果】
【００１４】
本発明に係るフレキシブルフラットケーブルの配設構造のように、配線基板の表面に一端部を半田付けしたフレキシブルフラットケーブルを、配線基板に形成されたスリットに通して配線基板の裏側へ引き回し、配線基板に形成されたもう一つのスリットから配線基板の表側へ引き出すか、又は、配線基板の端面に沿って配線基板の表側へ引き出すと、フレキシブルフラットケーブルが折れ曲がってスリットの縁や配線基板の端に引っ掛かり、配線基板に実質的に固定されることになる。このようにフレキシブルフラットケーブルの半田付けされた一端部に近い部分が配線基板に実質的に固定されると、フレキシブルフラットケーブルが振動や衝撃を受けても、半田付けされたケーブル一端部に引張力や曲げ応力などが殆ど作用しなくなるので、ケーブル一端部の半田剥がれを十分防止することが可能となる。
【００１５】
上記のように、本発明の配設構造は、両面粘着テープでフレキシブルフラットケーブルの一端部近傍箇所を配線基板の表面に貼り付けて固定するものではないので、従来の両面粘着テープによる貼り付け工程が不要となり、その分だけコストの低減を図ることができ、また、振動試験や落下試験を行った場合でも、配線基板のスリットに通されて固定されたフレキシブルフラットケーブルは、両面粘着テープで固定されたフレキシブルフラットケーブルのように配線基板から剥がれる心配がないので、確実にケーブル一端部の半田剥がれを防止することができる。
【００１６】
そして、本発明の好ましい具体例のように、配線基板が電子機器のフロントパネルの裏面に取り付けられる操作用配線基板であって、フロントパネルに嵌合されるカバーによってフレキシブルフラットケーブルが噛み込まれないようにガイドするケーブルガイドリブが、配線基板の端面のケーブル引き出し部位に沿うようにフロントパネルの裏面から突設され、このケーブルガイドリブと配線基板の端面との隙間からフレキシブルフラットケーブルが配線基板の表側へ引き出されていると、フロントパネルにカバーを嵌合する際に、カバーによるフレキシブルフラットケーブルの噛み込みがケーブルガイドリブによって防止されるため、フレキシブルフラットケーブルの損傷を防止することができる。
【００１７】
また、上記のケーブルガイドリブによってフレキシブルフラットケーブルが配線基板の端面に押し付けられるようにしたものは、フレキシブルフラットケーブルがより確実に固定されるため、ケーブル一端部の半田剥がれ防止効果が一層顕著になる。
【００１８】
そして、配線基板の端面のケーブル引き出し部位に凹部が形成され、この凹部とケーブルガイドリブとの間のスリット状空隙部からフレキシブルフラットケーブルが配線基板の表側へ引き出されるようにしたものは、このスリット状空隙部を通じてフレキシブルフラットケーブルを引き出す作業がし易くなる。
【００１９】
更に、フロントパネルに嵌合されるカバーをガイドするカバーガイドリブが、配線基板の端面のケーブル引き出し部位に沿うようにフロントパネルの裏面から突設され、このカバーガイドリブが上記ケーブルガイドリブとして兼用されるものは、ケーブルガイドリブを追加して形成する必要がなくなるので、コストアップを抑えることができる。
【発明を実施するための最良の形態】
【００２０】
以下、図面を参照して本発明の具体的な実施形態を詳述する。
【００２１】
図１は本発明の一実施形態に係るフレキシブルフラットケーブルの配設構造を示す部分正面図、図２は同配設構造を示す部分断面図である。
【００２２】
図１，図２において、１はＤＶＤレコーダー、ＤＶＤプレーヤー等の電子機器の操作用配線基板を示しており、この操作用配線基板１は電子機器のフロントパネル２の裏面に取り付けられている。
【００２３】
図２に示すように、フロントパネル２には上下のカバー３ａ，３ｂが嵌合され、電子機器の筐体が組み立てられている。トップカバー３ａは、その先端部をフロントパネル２の上枠縁２ａとその内側のカバーガイドリブ２ｃとの間に挿入することによって位置決めされており、ボトムカバー３ｂも、その先端部をフロントパネル２の下枠縁２ｂとその内側のカバーガイドリブ２ｄとの間に挿入することによって位置決めされている。これらのカバーガイドリブ２ｃ，２ｄは突片状のもので、上枠縁２ａ、下枠縁２ｂと平行となるようにフロントパネル２の裏面から突設されている。上側のカバーガイドリブ２ｃは、後で詳しく説明するようにケーブルガイドリブ４として兼用されるものである。
【００２４】
上記の操作用配線基板１の表面には、フレキシブルフラットケーブル５が縦方向に配置されてその一端部５ａが半田付けされており、このフレキシブルフラットケーブル５の他端は図外のメイン配線基板に接続されている。そして、この操作用配線基板１の上端近くには、フレキシブルフラットケーブル５の幅よりも少し長い横方向のスリット１ａが形成されている。
【００２５】
フレキシブルフラットケーブル５は、上記スリット１ａを通して操作用配線基板１の裏側へ引き回され、操作用配線基板１の端面（上端面）に沿って再び配線基板１の表側へ引き出されている。このようにフレキシブルフラットケーブル５を配設すると、フレキシブルフラットケーブル５が折れ曲がってスリット１ａの縁や配線基板１の上端に引っ掛かり、配線基板１に実質的に固定されることになるため、フレキシブルフラットケーブル５が振動や衝撃を受けても、半田付けされたケーブル一端部５ａに引張力や曲げ応力などが殆ど作用しなくなり、ケーブル一端部５ａの半田剥がれを十分防止することができる。
【００２６】
上述した上側のカバーガイドリブ２ｃは、図１に示すように、操作用配線基板１の上端面のケーブル引き出し部位に沿うように位置を変えてフロントパネル２の裏面から突設されており、上述したトップカバー３ａを嵌合する際にフレキシブルフラットケーブル５がトップカバー３ａに噛み込まれないようにガイドするケーブルガイドリブ４として兼用されている。そして、この兼用のケーブルガイドリブ４（２ｃ）と配線基板１の上端面との間からフレキシブルフラットケーブル５が配線基板１の表側へ引き出されている。このようにすると、トップカバー嵌合時に、トップカバー３ａによるフレキシブルフラットケーブル５の噛み込みがケーブルガイドリブ４（２ｃ）によって防止されるため、フレキシブルフラットケーブル５の損傷を防止できる利点がある。
【００２７】
ケーブルガイドリブ４は、カバーガイドリブ２ｃとは別に追加してフロントパネル２の裏面から突設してもよいが、上記のようにカバーガイドリブ２ｃをケーブルガイドリブ４として兼用すると、コストアップを抑えることができる利点がある。
【００２８】
また、上記のケーブルガイドリブ４（２ｃ）の厚みをもう少し大きくし、ケーブルガイドリブ４（２ｃ）でフレキシブルフラットケーブル５を配線基板１の上端面に押し付けるようにしてもよく、このようにすると、フレキシブルフラットケーブル５がより確実に固定されるため、ケーブル一端部５ａの半田剥がれ防止効果が一層顕著になる。
【００２９】
更に、この実施形態では、操作用配線基板１の上端面のケーブル引き出し部位に浅い凹部１ｂが形成されており、この凹部１ｂとケーブルガイドリブ４（２ｃ）との間のスリット状空隙部からフレキシブルフラットケーブル５が配線基板１の表側へ引き出されている。このようにすると、フレキシブルフラットケーブル５を引き出す作業がし易くなる利点がある。
【００３０】
このフレキシブルフラットケーブルの配設構造は、両面粘着テープでフレキシブルフラットケーブルの一端部近傍箇所を固定するものではないので、従来の両面粘着テープによる貼り付け工程が不要となり、その分だけコストの低減を図ることができる。また、振動試験や落下試験を行った場合でも、配線基板１のスリット１ａから裏側に引き回され、配線基板１の端面から表側に引き出されて固定されたフレキシブルフラットケーブル５は、両面粘着テープで固定されたフレキシブルフラットケーブルのように配線基板１から剥がれる心配がないので、確実にケーブル一端部５ａの半田剥がれを防止することができる。そして、ケーブルガイドリブ４（２ｃ）によってフレキシブルフラットケーブル５が噛み込まれないようにし、ケーブルの損傷を防止することもできる。
【００３１】
図３は本発明の他の実施形態に係るフレキシブルフラットケーブルの配設構造を示す部分断面図である。
【００３２】
この配設構造では、操作用配線基板１に上記スリット１ａと平行してもう一つのスリット１ｃを形成し、一端部５ａを半田付けしたフレキシブルフラットケーブル５を、一方のスリット１ａから配線基板１の裏側へ引き回し、他方のスリット１ｂから配線基板１の表側へ引き出している。その他の構成は、前記の配設構造と実質的に同様であるので、図３において同一部材に同一符号を付し、重複説明を省略する。
【００３３】
このような配設構造も、フレキシブルフラットケーブル５が折れ曲がってスリット１ａ，１ｃの縁に引っ掛かり、配線基板１に実質的に固定されることになるので、フレキシブルフラットケーブル５が振動や衝撃を受けても、ケーブル一端部５ａの半田剥がれを十分防止することができる。
【図面の簡単な説明】
【００３４】
【図１】本発明の一実施形態に係るフレキシブルフラットケーブルの配設構造を示す部分正面図である。
【図２】同配設構造を示す部分断面図である。
【図３】本発明の他の実施形態に係るフレキシブルフラットケーブルの配設構造を示す部分断面図である。
【符号の説明】
【００３５】
１    配線基板（操作用配線基板）
１ａ，１ｃ  スリット
１ｂ  凹部
２    フロントパネル
２ｃ，２ｄ  カバーガイドリブ
３ａ  カバー（トップカバー）
３ｂ  カバー（ボトムカバー）
４    ケーブルガイドリブ
５    フラットフレキシブルケーブル
５ａ  半田付けされた一端部
【図１】
2009141241.tif 000003
【図２】
2009141241.tif 000004
【図３】
2009141241.tif 000005